【手続補正書】
【提出日】平成29年12月28日(2017.12.28)
【手続補正１】
【補正対象書類名】特許請求の範囲
【補正対象項目名】全文
【補正方法】変更
【補正の内容】
【特許請求の範囲】
【請求項１】
ユーザにニュースコンテンツを表示するための方法であって、
複数のニュースコンテンツアイテムの各々について、コンピュータによって、
前記ニュースコンテンツアイテムに、前記アイテムのコンテンツに関連付けられる少なくとも１つのトピックおよび少なくとも１つの日付で注釈を付けることと、
各注釈を付けられたアイテムの標識および前記関連付けられた注釈を記憶することと、
前記ニュースコンテンツアイテムの各々について、前記コンテンツアイテムが閲覧される回数を示すカウントを維持することとを含み、前記方法はさらに、
複数のユーザの各々について、コンピュータによって、
前記ユーザについてプロファイル情報を識別することを含み、前記プロファイル情報は前記ユーザにとって関心のある複数のニュースソースを含み、前記方法はさらに、
前記コンピュータによって、関心のあるトピックおよび関心のあるタイムフレームを受信することと、
前記注釈を付けられたニュースコンテンツアイテムおよびプロファイル情報から、前記ユーザの１人に対して薦める複数のニュースコンテンツアイテムを識別することとを含み、各ニュースコンテンツアイテムは、前記関心のあるトピックに対応する注釈を付けられたトピック、および前記関心のある受信されたタイムフレーム内の日付を有し、前記コンテンツアイテムは、それらの関連付けられる閲覧カウントに従って少なくとも一部が選択され、前記方法はさらに、
前記ユーザに前記ニュースコンテンツアイテムを薦めることを含む、ユーザにニュースコンテンツを表示するための方法。
【請求項２】
前記複数のニュースコンテンツアイテムの各々に、少なくとも１つのロケーションで注釈を付けることと、
前記コンピュータによって、関心のあるロケーションを受信することとをさらに含み、
前記識別されたニュースコンテンツアイテムは、前記関心のあるロケーションに対応する、注釈を付けられたロケーションを有する、請求項１に記載の方法。
【請求項３】
前記ニュースコンテンツアイテムに注釈を付けることはさらに、
インデクサによって、前記ニュースコンテンツアイテムを受信することと、
トピック解析部によって、前記ニュースコンテンツアイテムと関連付けられる少なくとも１つのトピックを判断することと、
ジオロケータモジュールによって、前記ニュースコンテンツアイテムと関連付けられる少なくとも１つのロケーションを判断することと、
前記ニュースコンテンツアイテムに、前記判断されたトピックおよび判断されたロケーションで注釈を付けることとを含む、請求項２に記載の方法。
【請求項４】
ユーザについてプロファイル情報を識別することはさらに、
前記ユーザのロケーションを判断することと、
前記判断されたロケーションを前記ユーザにとって関心のあるロケーションとして識別することとを含む、請求項２または３に記載の方法。
【請求項５】
前記ユーザに前記ニュースコンテンツアイテムを薦めることはさらに、
ユーザデバイス上におけるユーザインターフェイスの第１の領域に、複数の薦められるコンテンツアイテムの標識を表示することと、
前記ユーザインターフェイスの第２の領域にマップを表示することとを含み、前記マップは、前記薦められるコンテンツアイテムの各々と関連付けられるロケーションを表すマーカーを含む、請求項２から４のいずれか１項に記載の方法。
【請求項６】
前記表示される、薦められるコンテンツアイテムの１つを識別するユーザ入力を受信することと、
前記受信されるユーザ入力に応答して、前記識別されたコンテンツアイテムのロケーションを表す前記マーカーの表示を強調することとをさらに含む、請求項５に記載の方法。
【請求項７】
前記ユーザ入力によって識別されない前記薦められるコンテンツアイテムを前記表示から除去することをさらに含む、請求項６に記載の方法。
【請求項８】
前記表示されるマーカーの１つを識別するユーザ入力を受信することと、
前記ユーザ入力の受信に応答して、前記識別されるマーカーと関連付けられない前記薦められるコンテンツアイテムを前記表示から除去することとをさらに含む、請求項５から７のいずれか１項に記載の方法。
【請求項９】
前記薦められるコンテンツアイテムの１つの前記標識の前記ユーザによる選択を受信することと、
ユーザデバイスに、示される、薦められるコンテンツアイテムを表示するよう命令することとをさらに含む、請求項１から８のいずれか１項に記載の方法。
【請求項１０】
前記ユーザに前記ニュースコンテンツアイテムを薦めることはさらに、
ユーザデバイス上におけるユーザインターフェイスの第１の領域に、複数の薦められるコンテンツアイテムの標識を表示することと、
前記ユーザインターフェイスの第２の領域にタイムラインを表示することとを含み、前記タイムラインは、前記薦められるコンテンツアイテムの各々と関連付けられる、前記タイムラインに沿った日付を表すマーカーを含む、請求項１から９のいずれか１項に記載の方法。
【請求項１１】
前記表示される、薦められるコンテンツアイテムの１つを識別するユーザ入力を受信することと、
前記受信されるユーザ入力に応答して、前記識別されたコンテンツアイテムの日付を表す前記マーカーの表示を強調することとをさらに含む、請求項１０に記載の方法。
【請求項１２】
前記ユーザ入力によって識別されない前記薦められるコンテンツアイテムを前記表示から除去することをさらに含む、請求項１１に記載の方法。
【請求項１３】
前記表示されるマーカーの１つを識別するユーザ入力を受信することと、
前記ユーザ入力の受信に応答して、前記識別されるマーカーと関連付けられない前記薦められるコンテンツアイテムを前記表示から除去することとをさらに含む、請求項１０から１２のいずれか１項に記載の方法。
【請求項１４】
請求項１および請求項８〜１２のいずれか１項に記載の方法をコンピュータに実行させるためのプログラム。
【請求項１５】
ユーザにニュースコンテンツを表示するための方法であって、
複数のニュースコンテンツアイテムの各々について、コンピュータによって、
前記ニュースコンテンツアイテムに、前記アイテムのコンテンツに関連付けられる少なくとも１つのトピックおよび少なくとも１つのロケーションで注釈を付けることと、
各注釈を付けられたアイテムの標識および前記関連付けられた注釈を記憶することとを含み、前記方法はさらに、
複数のユーザの各々について、コンピュータによって、
前記ユーザについてプロファイル情報を識別することを含み、前記プロファイル情報は前記ユーザにとって関心のある複数のトピックおよび前記ユーザにとって関心のある少なくとも１つのロケーションを含み、前記方法はさらに、
前記注釈を付けられたニュースコンテンツアイテムおよびプロファイル情報から、前記ユーザの１人に対して薦めるニュースコンテンツアイテムを識別することと、
前記ユーザに前記ニュースコンテンツアイテムを薦めることとを含む、方法。
【請求項１６】
前記ニュースコンテンツアイテムに注釈を付けることはさらに、
インデクサによって、前記ニュースコンテンツアイテムを受信することと、
トピック解析部によって、前記ニュースコンテンツアイテムと関連付けられる少なくとも１つのトピックを判断することと、
ジオロケータモジュールによって、前記ニュースコンテンツアイテムと関連付けられる少なくとも１つのロケーションを判断することと、
前記ニュースコンテンツアイテムに、前記判断されたトピックおよび判断されたロケーションで注釈を付けることとを含む、請求項１５に記載の方法。
【請求項１７】
ユーザについてプロファイル情報を識別することはさらに、
前記ユーザのロケーションを判断することと、
前記判断されたロケーションを前記ユーザにとって関心のあるロケーションとして識別することとを含む、請求項１５または１６に記載の方法。
【請求項１８】
ユーザについてプロファイル情報を識別することはさらに、
前記ユーザによって指定されるロケーションを受信することと、
前記受信されたロケーションを前記ユーザにとって関心のあるロケーションとして識別することとを含む、請求項１５から１７のいずれか１項に記載の方法。
【請求項１９】
前記ユーザに前記ニュースコンテンツアイテムを薦めることはさらに、
ユーザデバイス上におけるユーザインターフェイスの第１の領域に、複数の薦められるコンテンツアイテムの標識を表示することと、
前記ユーザインターフェイスの第２の領域にマップを表示することとを含み、前記マップは、前記薦められるコンテンツアイテムの各々と関連付けられるロケーションを表すマーカーを含む、請求項１５から１８のいずれか１項に記載の方法。
【請求項２０】
前記表示される、薦められるコンテンツアイテムの１つを識別するユーザ入力を受信することと、
前記受信されるユーザ入力に応答して、前記識別されたコンテンツアイテムのロケーションを表す前記マーカーの表示を強調することとをさらに含む、請求項１９に記載の方法。
【請求項２１】
前記ユーザ入力によって識別されない前記薦められるコンテンツアイテムを前記表示から除去することをさらに含む、請求項２０に記載の方法。
【請求項２２】
前記表示されるマーカーの１つを識別するユーザ入力を受信することと、
前記ユーザ入力の受信に応答して、前記識別されるマーカーと関連付けられない前記薦められるコンテンツアイテムを前記表示から除去することとをさらに含む、請求項１９から２１のいずれか１項に記載の方法。
【請求項２３】
前記薦められるコンテンツアイテムの１つの前記標識の前記ユーザによる選択を受信することと、
ユーザデバイスに、示される、薦められるコンテンツアイテムを表示するよう命令することとをさらに含む、請求項１５から２２のいずれか１項に記載の方法。
【請求項２４】
請求項１５から２３のいずれか１項に記載の方法をコンピュータに実行させるためのプログラム。
【請求項２５】
ユーザにニュースコンテンツを薦めるためのシステムであって、
プロセッサと、
前記プロセッサによって実行され、複数のニュースコンテンツアイテムの各々について、前記ニュースコンテンツアイテムに、前記アイテムのコンテンツに関連付けられる少なくとも１つのトピックおよび少なくとも１つのロケーションで注釈を付け、
各注釈を付けられたアイテムの標識および前記関連付けられた注釈を記憶するよう構成される取込モジュールと、
前記プロセッサによって実行され、前記取込モジュールに結合され、複数のユーザの各々について、
前記ユーザについてプロファイル情報を識別するよう構成されるプロファイルエンジンとを含み、前記プロファイル情報は前記ユーザにとって関心のある複数のトピックおよび前記ユーザにとって関心のある少なくとも１つのロケーションを含み、前記システムはさらに、
前記プロセッサによって実行され、前記プロファイルエンジンに結合され、前記注釈を付けられたニュースコンテンツアイテムおよびプロファイル情報から、前記ユーザの１人に対して薦める複数のニュースコンテンツアイテムを識別するよう構成される推薦生成部と、
前記プロセッサによって実行され、前記推薦エンジンに結合され、前記ユーザに前記ニュースコンテンツアイテムを薦めるようにされるニュースデリバリモジュールとを含む、ユーザにニュースコンテンツを薦めるためのシステム。
【請求項２６】
前記プロセッサによって実行され、前記ニュースデリバリモジュールに結合されるマップエンジンをさらに含み、前記マップエンジンは、
ユーザデバイスに、前記薦められるニュースコンテンツアイテムの少なくとも１つと関連付けられるマーカーを含むマップを表示し、
前記ユーザデバイスから新たな地理的ロケーションの指定を受信し、
前記要求の受信に応答して、前記推薦生成部から、前記ユーザに薦めるべき、前記新たな地理的ロケーションと関連付けられるニュースコンテンツアイテムを含む第２の複数のニュースコンテンツアイテムを得、
前記新たな地理的ロケーションおよび前記第２の複数の薦められるニュースコンテンツアイテムの少なくとも１つと関連付けられるマーカーを含む更新されたマップを表示するようにされる、請求項２５に記載のシステム。